(57)【特許請求の範囲】
【請求項１】
網を介してウェブサーバに接続可能な携帯型の無線通信端末において、
電源スイッチオン時に当日の気象データを入手する気象データ入手手段と、
電源オンの期間中、サテライトからの電波が受信可能状態とされるサテライト電波受信部と、
表示を行う表示部と、
前記表示部の表示を見易くするための光源と、
前記気象データ入手手段により入手された前記気象データに基づいて、現在時刻が昼間で、かつ、天気が晴れであるという条件を満足するか否か判定する第１の判定手段と、
前記第１の判定手段により前記条件を満足すると判定された時に、前記サテライト電波受信部の電源をオンに制御し、前記サテライトからの電波を該サテライト電波受信部が受信したかどうか判定する第２の判定手段と、
前記第２の判定手段により前記サテライトからの電波を前記サテライト電波受信部が受信したと判定されたときは前記光源を消灯制御し、前記第１の判定手段により前記条件を満足しないと判定されたとき、又は前記第２の判定手段により前記サテライトからの電波が前記サテライト電波受信部により受信されないと判定されたときは前記光源を点灯制御する第１の光源制御手段と
を有することを特徴とする無線通信端末。
【請求項２】
電源スイッチがオンの状態において、任意のキー入力があった時に、前記気象データ入手手段により入手されている当日の気象データに基づいて、現在時刻が昼間で、かつ、天気が晴れであるという条件を満足するか否か判定する第３の判定手段と、
前記第３の判定手段により前記条件を満足すると判定された時に、前記サテライト電波受信部の電源をオンに制御し、前記サテライトからの電波を前記サテライト電波受信部が受信したかどうか判定する第４の判定手段と、
前記第４の判定手段により前記サテライトからの電波を前記サテライト電波受信部が受信したと判定されたときは前記光源を消灯制御し、前記第３の判定手段により前記条件を満足しないと判定されたとき、又は前記第４の判定手段により前記サテライトからの電波が前記サテライト電波受信部により受信されないと判定されたときは前記光源を点灯制御する第２の光源制御手段と、
前記第２の光源制御手段により、前記光源が点灯制御されたことをトリガとしてタイマカウントを開始し、イベントの発生が無い状態で一定時間経過したときにタイムアップして前記光源を消灯制御する第３の光源制御手段と
を更に有することを特徴とする請求項１記載の無線通信端末。
【請求項３】
網を介してウェブサーバに接続可能な、フラッシュ付きカメラ部を搭載した携帯型の無線通信端末において、
電源スイッチオン時に当日の気象データを入手する気象データ入手手段と、
電源オンの期間中にサテライトからの電波が受信可能状態とされるサテライト電波受信部と、
オンに設定されたときは、前記カメラ部のシャッター押下時にフラッシュを点灯するフラッシュ制御回路と、
前記気象データ入手手段により入手された前記気象データに基づいて、現在時刻が昼間で、かつ、天気が晴れであるという条件を満足するか否か判定する第１の判定手段と、
前記第１の判定手段により前記条件を満足すると判定された時に、前記サテライト電波受信部の電源をオンに制御し、前記サテライトからの電波を該サテライト電波受信部が受信したかどうか判定する第２の判定手段と、
前記第２の判定手段により前記サテライトからの電波を前記サテライト電波受信部が受信したと判定されたときは前記フラッシュ制御回路をオフに制御し、前記第１の判定手段により前記条件を満足しないと判定されたとき、又は前記第２の判定手段により前記サテライトからの電波が前記サテライト電波受信部により受信されないと判定されたときは前記フラッシュ制御回路をオンに制御する制御手段と
を有することを特徴とする無線通信端末。
【請求項４】
前記気象データ入手手段は、前記網に対して回線接続要求を行い、回線接続後、前記ウェブサーバに格納されている前記気象データを前記網を介して入手することを特徴とする請求項１又は３記載の無線通信端末。
【請求項５】
ウェブサーバへの接続機能を有しない携帯型の無線通信端末において、
予め気象庁の過去の日の入り時刻データ及び日の出時刻データを気象データとして格納している気象データ格納手段と、
電源オンの期間中、サテライトからの電波が受信可能状態とされるサテライト電波受信部と、
表示を行う表示部と、
前記表示部の表示を見易くするための光源と、
前記気象データ格納手段に格納されている前記気象データのうち、当日又は当月の日の入り時刻データ及び日の出時刻データと現在時刻とを比較して、現在時刻が昼間であるという条件を満足するか否か判定する第１の判定手段と、
前記第１の判定手段により前記条件を満足すると判定された時に、前記サテライト電波受信部の電源をオンに制御し、前記サテライトからの電波を該サテライト電波受信部が受信したかどうか判定する第２の判定手段と、
前記第２の判定手段により前記サテライトからの電波を前記サテライト電波受信部が受信したと判定されたときは前記光源を消灯制御し、前記第１の判定手段により前記条件を満足しないと判定されたとき、又は前記第２の判定手段により前記サテライトからの電波が前記サテライト電波受信部により受信されないと判定されたときは前記光源を点灯制御する第１の光源制御手段と
を有することを特徴とする無線通信端末。
【請求項６】
電源スイッチがオンの状態において、任意のキー入力があった時に、前記気象データ格納手段に格納されている前記気象データのうち、当日又は当月の日の入り時刻データ及び日の出時刻データと現在時刻とを比較して、現在時刻が昼間であるという条件を満足するか否か判定する第３の判定手段と、
前記第３の判定手段により前記条件を満足すると判定された時に、前記サテライト電波受信部の電源をオンに制御し、前記サテライトからの電波を前記サテライト電波受信部が受信したかどうか判定する第４の判定手段と、
前記第４の判定手段により前記サテライトからの電波を前記サテライト電波受信部が受信したと判定されたときは前記光源を消灯制御し、前記第３の判定手段により前記条件を満足しないと判定されたとき、又は前記第４の判定手段により前記サテライトからの電波が前記サテライト電波受信部により受信されないと判定されたときは前記光源を点灯制御する第２の光源制御手段と、
前記第２の光源制御手段により、前記光源が点灯制御されたことをトリガとしてタイマカウントを開始し、イベントの発生が無い状態で一定時間経過したときにタイムアップして前記光源を消灯制御する第３の光源制御手段と
を更に有することを特徴とする請求項５記載の無線通信端末。
【請求項７】
ウェブサーバへの接続機能を有しないフラッシュ付きカメラ部を搭載した携帯型の無線通信端末において、
予め気象庁の過去の日の入り時刻データ及び日の出時刻データを気象データとして格納している気象データ格納手段と、
電源オンの期間中、サテライトからの電波が受信可能状態とされるサテライト電波受信部と、
オンに設定されたときは、前記カメラ部のシャッター押下時にフラッシュを点灯するフラッシュ制御回路と、
前記気象データ格納手段に格納されている前記気象データのうち、当日又は当月の日の入り時刻データ及び日の出時刻データと現在時刻とを比較して、現在時刻が昼間であるという条件を満足するか否か判定する第１の判定手段と、
前記第１の判定手段により前記条件を満足すると判定された時に、前記サテライト電波受信部の電源をオンに制御し、前記サテライトからの電波を該サテライト電波受信部が受信したかどうか判定する第２の判定手段と、
前記第２の判定手段により前記サテライトからの電波を前記サテライト電波受信部が受信したと判定されたときは前記フラッシュ制御回路をオフに制御し、前記第１の判定手段により前記条件を満足しないと判定されたとき、又は前記第２の判定手段により前記サテライトからの電波が前記サテライト電波受信部により受信されないと判定されたときは前記フラッシュ制御回路をオンに制御する制御手段と
を有することを特徴とする無線通信端末。
【発明の詳細な説明】
【０００１】
【発明の属する技術分野】
本発明は無線通信端末に係り、特にサテライト（ＧＰＳ衛星、放送衛星、通信衛星等）からの送信波を受信する機能を備えた携帯型の無線通信端末に関する。
【０００２】
【従来の技術】
無線通信端末においては、表示部を見易くする光源の消費電力の、端末全体の消費電力に占める割合が非常に高い。その光源で消費される電力を削減するため、昨今の携帯型の無線通信端末では、表示部に光源を使用せず、フロント側から照射される光（自然光、室内灯など）を利用する反射型表示部を搭載したものも見受けられる。この反射型表示部を使用することにより、携帯型無線通信端末に光源を有さずに済むため、消費電力を大幅に削減することが可能である。
【０００３】
しかし、特に夜間の屋外で上記の反射型表示部を搭載した携帯型無線通信端末を使用した場合、表示部を殆ど見ることができないため、使用場所が限定されてしまう。そこで、光源とフロントから照射される光の両方を利用した半透過型表示部を搭載した表示機能付き無線通信端末が増えている。この無線通信端末ならば、フロントから照射される光を併用することで、光源の発光量を抑えることができるため、その分、消費電力を低減することが可能である。
【０００４】
しかし、半透過型表示部を搭載した表示機能付き無線通信端末では、昼間、特に昼間の屋外では自然光を利用すれば光源を使用せずとも十分に使用に耐え得るにもかかわらず、その光源制御は屋内、屋外にかかわらずキー入力時に光源を点灯し、一定期間イベントが無いと消灯するという制御方法が主であり、せっかく半透過型表示部を採用しているにもかかわらず、常に光源を点灯してしまうため、その特徴を生かしきれていないのが現状である。
【０００５】
そこで、従来より、ＧＰＳ（Global Positioning System:全地球測位システム）で用いるＧＰＳ衛星から送信される電波から位置情報（経度、緯度）を算出し、その光源を制御する無線通信端末が知られている（特開２０００−２９２１９８、特開２０００−９８２１）。これらの従来の無線通信端末では、位置情報に応じて光源を制御するので、常に光源を点灯してしまうことはなく、消費電力の低減が可能である。
【０００６】
【発明が解決しようとする課題】
しかるに、特開２０００−２９２１９８記載の従来の無線通信端末では、ＧＰＳ衛星からの測位用電波を受信して得られた、経度、緯度の位置情報データと、時計回路からの現在時刻データと、カレンダ回路からのカレンダデータとの相関に基づいて、昼用設定と夜用設定のどちらかを選択し、選択した設定に基づいて表示部の表示光量を増減させる構成であるため、ＧＰＳ衛星からの測位用電波から現在位置の位置情報データの算出が必要であり、その測位用電波受信から位置情報データの算出までに３０秒から３分程度を要することから、光源制御にリアルタイム性が無く、演算する分それだけ消費電力が多くなってしまうという問題がある。また、単に昼夜を区分して光源を制御しているだけであり、屋外か屋内かを区別したり、天気情報に応じた制御をしていないため、消費電力の低減が不十分である。
【０００７】
また、特開２０００−９８２１記載の従来の無線通信端末では、ＧＰＳ衛星からの電波を受信して得た受信位置情報及び時刻情報に基づき表示情報を生成すると共に、昼間時間帯と夜間時間帯とに区分し、区分された昼間時間帯の期間中消灯指示し、区分された夜間時間帯の期間中点灯指示する点滅制御信号を生成し、その点滅制御信号に基づき表示情報を表示するＬＣＤのバックライトを点滅制御する構成であり、単に昼夜を区分して光源であるバックライトを点滅制御しているだけであり、屋外か屋内かを区別したり、天気情報に応じた制御をしていないため、消費電力の低減が不十分であるという問題がある。
【０００８】
本発明は以上の点に鑑みなされたもので、昼夜の区別だけでなく、端末周囲の各種の状況に応じて表示部の光源を適宜制御することにより、使用環境に応じた最適な光源制御を行うと共に、消費電力を極力低減し得る無線通信端末を提供することを目的とする。
【０００９】
【課題を解決するための手段】
上記の目的を達成するため、第１の発明は、網を介してウェブサーバに接続可能な携帯型の無線通信端末において、電源スイッチオン時に当日の気象データを入手する気象データ入手手段と、電源オンの期間中、サテライトからの電波が受信可能状態とされるサテライト電波受信部と、表示を行う表示部と、表示部の表示を見易くするための光源と、気象データ入手手段により入手された気象データに基づいて、現在時刻が昼間で、かつ、天気が晴れであるという条件を満足するか否か判定する第１の判定手段と、第１の判定手段により条件を満足すると判定された時に、サテライト電波受信部の電源をオンに制御し、サテライトからの電波をサテライト電波受信部が受信したかどうか判定する第２の判定手段と、第２の判定手段によりサテライトからの電波をサテライト電波受信部が受信したと判定されたときは光源を消灯制御し、第１の判定手段により条件を満足しないと判定されたとき、又は第２の判定手段によりサテライトからの電波がサテライト電波受信部により受信されないと判定されたときは光源を点灯制御する第１の光源制御手段とを有する構成としたものである。
【００１０】
この発明では、現在時刻が昼間で、かつ、天気が晴れであるという条件と、サテライトからの電波をサテライト電波受信部が受信したという条件とを満足する場合は、昼間の晴れの屋外での端末使用であると判断でき、十分な光量の自然光が表示部に入射されると判断して光源を消灯制御し、上記の２つの上記の一方又は両方を満足しないときには、十分な光量の自然光が表示部に入射されないと判断して光源を点灯制御する。
【００１１】
また、上記の目的を達成するため、第２の発明は、電源スイッチがオンの状態において、任意のキー入力があった時に、気象データ入手手段により入手されている当日の気象データに基づいて、現在時刻が昼間で、かつ、天気が晴れであるという条件を満足するか否か判定する第３の判定手段と、第３の判定手段により条件を満足すると判定された時に、サテライト電波受信部の電源をオンに制御し、サテライトからの電波をサテライト電波受信部が受信したかどうか判定する第４の判定手段と、第４の判定手段によりサテライトからの電波をサテライト電波受信部が受信したと判定されたときは光源を消灯制御し、第３の判定手段により条件を満足しないと判定されたとき、又は第４の判定手段によりサテライトからの電波がサテライト電波受信部により受信されないと判定されたときは光源を点灯制御する第２の光源制御手段と、第２の光源制御手段により、光源が点灯制御されたことをトリガとしてタイマカウントを開始し、イベントの発生が無い状態で一定時間経過したときにタイムアップして光源を消灯制御する第３の光源制御手段とを更に有することを特徴とする。
【００１２】
この発明では、キー入力後に光源の点灯制御又は消灯制御を行った後は、イベントの発生が無い状態でタイマカウントによる一定時間経過の判定時に光源を消灯制御することができ、点灯しっぱなしの状態を防止できる。
【００１３】
（削除）
【００１４】
（削除）
【００１５】
（削除）
【００１６】
（削除）
【００１７】
（削除）
【００１８】
また、上記の目的を達成するため、第３の発明は、網を介してウェブサーバに接続可能な、フラッシュ付きカメラ部を搭載した携帯型の無線通信端末において、電源スイッチオン時に当日の気象データを入手する気象データ入手手段と、電源オンの期間中にサテライトからの電波が受信可能状態とされるサテライト電波受信部と、オンに設定されたときは、カメラ部のシャッター押下時にフラッシュを点灯するフラッシュ制御回路と、気象データ入手手段により入手された気象データに基づいて、現在時刻が昼間で、かつ、天気が晴れであるという条件を満足するか否か判定する第１の判定手段と、第１の判定手段により条件を満足すると判定された時に、サテライト電波受信部の電源をオンに制御し、サテライトからの電波をサテライト電波受信部が受信したかどうか判定する第２の判定手段と、第２の判定手段によりサテライトからの電波をサテライト電波受信部が受信したと判定されたときはフラッシュ制御回路をオフに制御し、第１の判定手段により条件を満足しないと判定されたとき、又は第２の判定手段によりサテライトからの電波がサテライト電波受信部により受信されないと判定されたときはフラッシュ制御回路をオンに制御する制御手段とを有することを特徴とする。
【００１９】
この発明では、気象データに基づき現在時刻が昼間で、かつ、天気が晴れであるかどうか判定し、更に、サテライト電波受信部によりサテライト電波を受信できたかどうかにより、端末が屋外使用か屋内使用かを判定し、それらの判定結果に基づいて、昼間の晴天下の屋外使用時はカメラ部のシャッター押下時にフラッシュを自動点灯させるようにすることができる。
【００２０】
また、上記の目的を達成するため、第５の発明は、ウェブサーバへの接続機能を有しない携帯型の無線通信端末において、予め気象庁の過去の日の入り時刻データ及び日の出時刻データを気象データとして格納している気象データ格納手段と、電源オンの期間中、サテライトからの電波が受信可能状態とされるサテライト電波受信部と、表示を行う表示部と、表示部の表示を見易くするための光源と、気象データ格納手段に格納されている前記気象データのうち、当日又は当月の日の入り時刻データ及び日の出時刻データと現在時刻とを比較して、現在時刻が昼間であるという条件を満足するか否か判定する第１の判定手段と、第１の判定手段により前記条件を満足すると判定された時に、前記サテライト電波受信部の電源をオンに制御し、前記サテライトからの電波を該サテライト電波受信部が受信したかどうか判定する第２の判定手段と、第２の判定手段により前記サテライトからの電波を前記サテライト電波受信部が受信したと判定されたときは前記光源を消灯制御し、前記第１の判定手段により前記条件を満足しないと判定されたとき、又は前記第２の判定手段により前記サテライトからの電波が前記サテライト電波受信部により受信されないと判定されたときは前記光源を点灯制御する第１の光源制御手段とを有することを特徴とする。第６及び第７の発明は、第２及び第３の発明の気象データ入手手段に替えて第５の発明と同様の気象データ格納手段を有する構成としたものである。
【００２１】
【発明の実施の形態】
次に、本発明の実施の形態について図面と共に説明する。図１は本発明になる無線通信端末を用いた通信システムの一例の概略構成図、図２は本発明になる無線通信端末の一実施の携帯のブロック図を示す。
【００２２】
図１において、本発明になる無線通信端末の一例としての携帯電話機１０１及び携帯型情報端末（例えばノート型パソコン）１０２は、サテライト（ＧＰＳ衛星、放送衛星、通信衛星等）１０３から送信された電波を、１０４で示すように受信することができる屋外にあっては、後述するように、その表示部の光源をオフに設定し、サテライト１０３から送信された電波を、１０５で示すように受信することができない屋内にあっては、後述するように表示部の光源をオンに設定する。
【００２３】
また、携帯電話機１０１及び携帯型情報端末１０２は、携帯電話網やインターネット１０６を介してウェブサーバ１０７に格納されている気象データが１０９基地局１０８より受信できるようになされており、また、携帯電話機１０１及び携帯型情報端末１０２からも上記の経路を逆進してウェブサーバ１０７にデータを送信できるようになされている。
【００２４】
上記の携帯電話機１０１及び携帯型情報端末１０２の構成は、図２のブロック図に示すように、気象データ１０９を受信したり、ウェブサーバ１０７にデータを送信したり、網を使用して通常の通信を行うときに使用するアンテナ２０１と、アンテナ２０１により受信した信号を電気信号の受信データにする復調部２０２と、網に対して送信するために送信データを変調してアンテナ２０１へ出力する変調部２０３と、メモリ部２０４と、装置全体を統括的に制御する制御部である中央処理装置（ＣＰＵ）２０５を有している。メモリ部２０４はＣＰＵ２０５に接続されており、後述する光源やアラーム音を制御するプログラムや初期設定値などを格納しているリード・オンリ・メモリ（ＲＯＭ）部２０６と、ワークエリアであるランダム・アクセス・メモリ（ＲＡＭ）部２０７とからなる。ＣＰＵ２０５は、タイマ回路２０８と光源制御回路２０９を含んで構成されている。
【００２５】
更に、携帯電話機１０１及び携帯型情報端末１０２は、装置内の必要な個所に電源を供給するバッテリ２１０と、ユーザが端末を操作しデータを入力するための入力インタフェース部２１１と、サテライト１０３からの電波を受信するためのサテライト電波受信部２１２と、鳴動用のスピーカ部２１３と、ユーザに振動で注意を促すバイブレータ部２１４と、ＣＰＵ２０５で演算されたデータを表示する表示部２１５と、表示部２１５の表示を見易くするための光源２１６と、ユーザが移動することによる端末の振動をカウントする歩数カウント回路２１７を有している。なお、表示部２１５は半透過型表示部である。
【００２６】
次に、本発明装置の第１の実施の形態の動作について、図３及び図４の制御方法を示すフローチャートと図１及び図２を併せ参照して説明する。まず、ユーザが本発明の無線通信端末（図１では携帯電話機１０１及び携帯型情報端末１０２）の電源スイッチ（ＳＷ）をオンすると（図３のステップ３０１）、ＣＰＵ２０５は基地局１０８から送信されてアンテナ２０１で受信される電波の受信電界レベルが所定のしきい値以上であるか否かを判定する（図３のステップ３０２）。
【００２７】
受信電界レベルが所定のしきい値以上であるときには、ＣＰＵ２０５は「圏内」であると判断して、変調部２０３及びアンテナ２０１を介して網に対して回線接続要求を行い、ウェブサーバ１０７に接続する（図３のステップ３０３）。一方、受信電界レベルが所定のしきい値未満であるときには、ＣＰＵ２０５は「圏外」であると判断して、光源制御回路２０９を光源オフに設定した後（図３のステップ３０４）、受信電界レベルが所定のしきい値以上になるまで、すなわち、「圏内」になるまで、受信電界レベルを監視する（図３のステップ３０５）。従って、ＣＰＵ２０５が「圏内」と判断しているときには、光源２１６は消灯しているので、光源２１６による電力消費はない。
【００２８】
「圏内」になり、ウェブサーバ１０７に回線接続されると、ウェブサーバ１０７に格納されている気象データ１０９が網１０６及び基地局１０８を介して無線通信端末のアンテナ２０１にて受信され、復調部２０２で復調され、ＣＰＵ２０５に入力され、ＣＰＵ２０５はこの気象データをＲＡＭ部２０７に格納する（図３のステップ３０６）。この気象データは、当日の天気、日の出時刻、日の入り時刻などからなる。なお、インターネット接続機能が無い無線通信端末では、気象庁の過去のデータに基づき、予め日ごと若しくは月ごとに日の出、日の入り時刻データをＲＯＭ部２０６に格納しておく。季節による日の出、日の入り時刻の変動に対応するためである。
【００２９】
続いて、ＣＰＵ２０５は、タイマ回路２０８から取得した現在の時刻が、気象データから取得した日の入り時刻よりも早く、かつ、日の出時刻よりも遅い（日の入り時刻＞現在の時刻＞日の出時刻）の条件に当てはまるかどうか判定し（図３のステップ３０７）、その条件に当てはまるときは昼間である（夜間ではない）と判断して、前述した気象データ中の当日の天気情報が「晴れ」であるかどうか判定する（図３のステップ３０８）。
【００３０】
「晴れ」であれば、ＣＰＵ２０５はサテライト電波受信部２１２の電源をオンとし（図３のステップ３０９）、サテライト電波受信部２１２からサテライト１０３からの電波の受信信号が入力されるかどうか、すなわち、サテライトの電波が受信できたかどうか判定する（図３のステップ３１０）。サテライトの電波が受信できたときには、無線通信端末が屋外で使用中と判断し（図３のステップ３１１）、サテライト電波受信部２１２の電源をオフとする（図３のステップ３１２）。
【００３１】
このときは、無線通信端末が屋外で使用中であり、かつ、天気が「晴れ」であるから、無線通信端末の表示部２１５には十分な光量の自然光が照射されると判断できるため、ＣＰＵ２０５は、光源制御回路２０９をオフに制御して光源２１６を消灯させる（図３のステップ３１３）。従って、このときには、光源２１６による電力消費は発生しない。
【００３２】
一方、ステップ３０７で「日の入り時刻＞現在の時刻＞日の出時刻」の条件に当てはまらないと判定されたときは、夜間であると判断でき、また、ステップ３０８で天気情報が「晴れ」でないと判定されたときは昼間でも十分な光量の自然光が得られないと判断されるため、いずれの場合もＣＰＵ２０５は光源制御回路２０９をオンに制御して光源２１６を点灯させる（図３のステップ３１４）。
【００３３】
また、ステップ３１０でサテライト１０３の電波が受信できないと判定されたときには、屋内ではサテライト１０３からの電波が遮断されるため、無線通信端末が屋内で使用中と判断し（図３のステップ３１５）、サテライト電波受信部２１２の電源をオフとし（図３のステップ３１６）、昼間で天気は「晴れ」であるが、屋内使用中であるので、表示部２１５には十分な光量の光が入射できないと判断して、ＣＰＵ２０５は光源制御回路２０９をオンに制御して光源２１６を点灯させる（図３のステップ３１４）。
【００３４】
次に、ユーザが電源のオンしている無線通信端末のキーを入力した時の動作について説明する。キーを入力すると（図４のステップ４０１）、ＣＰＵ２０５は電源スイッチをオンした時に既に受信してＲＡＭ部２０７に保存、若しくはＲＯＭ部２０６に格納してある気象データを読み出す。電源スイッチをあまりオフしない無線通信端末においては、ユーザが設定してある時刻に自動的に回線を接続して気象データが受信され、若しくはプッシュ型のサーバから毎日決まった時刻に自動的に気象データが送信されて受信され、ＲＡＭ部２０７に格納されている。
【００３５】
ＣＰＵ２０５は気象データから前述した日の入り時刻＞現在の時刻＞日の出時刻）の条件に当てはまるかどうか判定し（図４のステップ４０２）、その条件に当てはまるときは気象データ中の当日の天気情報が「晴れ」であるかどうか判定し（図４のステップ４０３）、「晴れ」であれば、ＣＰＵ２０５はサテライト電波受信部２１２の電源をオンとし（図４のステップ４０４）、サテライト１０３の電波が受信できたかどうか判定する（図４のステップ４０５）。
【００３６】
サテライトの電波が受信できたときには、無線通信端末が屋外で使用中と判断し（図４のステップ４０６）、サテライト電波受信部２１２の電源をオフとする（図４のステップ４０７）。そして、ＣＰＵ２０５は、光源制御回路２０９をオフに制御して光源２１６を消灯させる（図４のステップ４０８）。従って、このときには、光源２１６による電力消費は発生しない。
【００３７】
一方、ステップ４０２の条件を満たさない場合、ステップ４０３で天気情報が「晴れ」でないと判定された場合、ステップ４０５でサテライト電波が受信されないと判定された場合のいずれかのときには、表示部２１５に入射する光の光量が十分でないと判断できるので、ＣＰＵ２０５は、光源制御回路２０９をオンに制御して光源２１６を点灯させる（図４のステップ４０９）。なお、ステップ４０５でサテライト電波が受信されないと判定されたときには、無線通信端末は屋内で使用中と判断され（図４のステップ４１０）、サテライト電波受信部２１２の電源がオフとされる（図４のステップ４１１）。
【００３８】
以上の動作は、電源スイッチをオンにした時の図３のフローチャートと同様の動作であるが、このキー入力時では、更にＣＰＵ２０５は光源制御回路２０９をオンに設定したことをトリガとしてタイマ回路２０８を動作させ、タイマのカウントを開始させる（図４のステップ４１２）。タイマのカウント中タイムアップする前に、キー入力などの割り込みイベントが発生したかどうか監視され（図４のステップ４１３）、割り込みイベントが発生した場合は、光源２１６を点灯したままカウント値をクリアし、再度タイマ回路２０８のカウントを開始させる（図４のステップ４１２）。
【００３９】
タイマのカウント開始後、割り込みイベントが発生せずに一定時間が経過してタイムアップすると（図４のステップ４１４）、ＣＰＵ２０５は光源制御回路２０９をオフに制御して光源２１６を消灯させる（図４のステップ４０８）。その後に次のキー入力があれば、初めの処理に戻る（図４のステップ４０１）。
【００４０】
このように、この第１の実施の形態では、電源スイッチがオンとされたときには、天気が晴れの昼間の時間帯で屋外使用中であるときにのみ、光源２１６を消灯制御し、それ以外のときには光源２１６を点灯制御するようにしているため、単に昼夜を区別して光源を制御する従来方法に比べて、光源２１６の最適な制御ができる。
【００４１】
また、電源スイッチオンの後、キー入力時には、天気が晴れの昼間の時間帯で屋外使用中という条件を満足しないときに光源２１６を点灯制御するが、その場合でもタイマ回路２０８で設定した一定時間内でイベントが発生しなければ、光源２１６を消灯するように制御しているので、光源２１６による電力消費を最小限にすることができる。
【００４２】
（削除）
【００４３】
（削除）
【００４４】
（削除）
【００４５】
（削除）
【００４６】
次に、本発明の第２の実施の形態について図５のフローチャートと共に説明する。この第２の実施の形態は、光源のオン／オフ制御ではなく、サテライト電波受信可否を利用した着信音量の制御を行うもので、ＣＰＵ２０５はまず、無線通信端末の電源スイッチがオンとされると（図５のステップ６０１）、サテライト電波受信部２１２の電源をオンとし（図５のステップ６０２）、サテライト１０３から送信される電波を受信可能状態とする。
【００４７】
この状態で、ＣＰＵ２０５はサテライト電波受信部２１２でサテライトからの電波を受信できたかどうか判定し（図５のステップ６０３）、受信できた時にはＣＰＵ２０５は無線通信端末が屋外使用中であると判断し（図５のステップ６０４）、サテライト電波受信部２１２の電源をオフに制御すると共に（図５のステップ６０５）、着信音等のアラーム音量をユーザ設定値又はＲＯＭ部２０６に予め格納してある初期設定値に基づく大なる音量とする（図５のステップ６０６）。そして、タイマ回路２０８によるタイマカウントを開始させる（図５のステップ６０７）。
【００４８】
一方、ステップ６０３において、ＣＰＵ２０５はサテライト電波受信部２１２でサテライトからの電波を受信できないと判定した時には、無線通信端末が屋内使用中であると判断し（図５のステップ６０８）、サテライト電波受信部２１２の電源をオフに制御すると共に（図５のステップ６０９）、着信音等のアラーム音量をユーザ設定値又はＲＯＭ部２０６に予め格納してある初期設定値に基づく小なる音量又はバイブレータ部２１４使用に変更する（図５のステップ６１０）。そして、タイマ回路２０８によるタイマカウントを開始させる（図５のステップ６０７）。
【００４９】
一定時間が経過してタイマ回路２０８がタイムアップすると（図５のステップ６１１）、そのタイムアップをトリガとしてサテライト電波受信部２１２の電源をオンとする処理に戻る（図５のステップ６０２）。なお、ステップ６０７で歩数カウント回路２１７のカウント動作を開始させ、ステップ６１１で歩数カウント値が設定値に達したと判定した時に、無線通信端末が移動したと判断して、ステップ６０２のサテライト電波受信部２１２の電源をオンとする処理に戻るようにしてもよい。あるいは、網からの回線接続要求をトリガとして再度アラーム音量の設定をするようにしてもよい。
【００５０】
この実施の形態では、屋外使用時と判断された時にのみ着信音を大にして鳴動させ、屋内使用時には、着信音が鳴らずバイブレータ部２１４が動作するようにしたので、着信音量が特に問題となる屋内使用時の着信音を自動的に鳴らないようにすることができ、端末使用環境に応じた着信音の最適なオン／オフ制御が自動的にできる。
【００５１】
次に、本発明の第３の実施の形態について図６のフローチャートと共に説明する。この第３の実施の形態は、光源のオン／オフ制御ではなく、フラッシュ付きカメラ部を搭載した無線通信端末のサテライト電波受信可否を利用したフラッシュのオン／オフ制御である。図３の第１の実施の形態と同様に、電源スイッチ（ＳＷ）をオンすると（図６のステップ７０１）、ＣＰＵ２０５は基地局１０８から送信されてアンテナ２０１で受信される電波の受信電界レベルが所定のしきい値以上であるか否かを判定する（図６のステップ７０２）。
【００５２】
受信電界レベルが所定のしきい値以上であるときには、ＣＰＵ２０５は「圏内」であると判断して、変調部２０３及びアンテナ２０１を介して網に対して回線接続要求を行い、ウェブサーバ１０７に接続する（図６のステップ７０３）。一方、受信電界レベルが所定のしきい値未満であるときには、ＣＰＵ２０５は「圏外」であると判断して、第１の実施の形態とは異なり、フラッシュ付きカメラ部を搭載した無線通信端末のフラッシュ制御回路をオンに設定し（図６のステップ７１４）、カメラ部シャッター押下時にフラッシュを点灯する（図６のステップ７１５）。
【００５３】
一方、圏内にあり、ウェブサーバ１０７に回線接続されると、ウェブサーバ１０７に格納されている気象データ１０９が網１０６及び基地局１０８を介して無線通信端末のアンテナ２０１にて受信され、復調部２０２で復調され、ＣＰＵ２０５に入力され、ＣＰＵ２０５はこの気象データをＲＡＭ部２０７に格納する（図６のステップ７０４）。この気象データは、当日の天気、日の出時刻、日の入り時刻などからなる。なお、インターネット接続機能が無い無線通信端末では、気象庁の過去のデータに基づき、予め日ごと若しくは月ごとに日の出、日の入り時刻データをＲＯＭ部２０６に格納しておく。季節による日の出、日の入り時刻の変動に対応するためである。
【００５４】
続いて、ＣＰＵ２０５は、タイマ回路２０８から取得した現在の時刻が、気象データから取得した日の入り時刻よりも早く、かつ、日の出時刻よりも遅い（日の入り時刻＞現在の時刻＞日の出時刻）の条件に当てはまるかどうか判定し（図６のステップ７０５）、その条件に当てはまるときは昼間であると判断して、前述した気象データ中の当日の天気情報が「晴れ」であるかどうか判定する（図６のステップ７０６）。
【００５５】
「晴れ」であれば、ＣＰＵ２０５はサテライト電波受信部２１２の電源をオンとし（図６のステップ７０７）、サテライトの電波が受信できたかどうか判定する（図６のステップ７０８）。サテライトの電波が受信できたときには、無線通信端末が屋外で使用中と判断し（図６のステップ７０９）、サテライト電波受信部２１２の電源をオフとすると共に（図６のステップ７１０）、十分な光量の自然光が得られるのでフラッシュ付きカメラ部を搭載した無線通信端末のフラッシュ制御回路をオフに設定する（図６のステップ７１１）。これにより、カメラ部シャッター押下時にフラッシュは点灯されることはなく、フラッシュ点灯による電力消費を防止できる。
【００５６】
一方、ステップ７０５で「日の入り時刻＞現在の時刻＞日の出時刻」の条件に当てはまらないと判定されたときは、夜間であると判断でき、また、ステップ７０６で天気情報が「晴れ」でないと判定されたときは昼間でも十分な光量の自然光が得られないと判断されるため、いずれの場合もＣＰＵ２０５はフラッシュ制御回路をオンに制御し（図６のステップ７１４）、カメラ部シャッター押下時にフラッシュを点灯する（図６のステップ７１５）。
【００５７】
また、ステップ７０８でサテライト１０３の電波が受信できないと判定されたときには、屋内ではサテライト１０３からの電波が遮断されるため、無線通信端末が屋内で使用中と判断し（図６のステップ４１２）、サテライト電波受信部２１２の電源をオフとし（図３のステップ７１３）、昼間で天気は「晴れ」であるが、屋内使用中であるので、十分な光量の光が得られないと判断して、ＣＰＵ２０５はフラッシュ制御回路をオンに制御し（図６のステップ７１４）、カメラ部シャッター押下時にフラッシュを点灯する（図６のステップ７１５）。
【００５８】
このように、本実施の形態では、フラッシュ付きカメラ部を備えた端末の使用環境に応じて、フラッシュのオン／オフ制御が自動的にでき、フラッシュを屋外で使用するようなフラッシュの無駄な使用による電力消費を防止することができる。
【００５９】
なお、本発明は以上の実施の形態に限定されるものではなく、例えば、図３及び図４の第１の実施の形態に、図５及び図６の一方又は両方の実施の形態を組み合わせることもできる。
【００６０】
また、インターネットか携帯電話網を介してウェブサーバ１０７から気象データを入手する機能を有しない無線通信端末（携帯電話機１０１又は携帯型情報端末１０２など）では、気象庁の過去のデータに基づき、予め日の入り時刻データ及び日の出時刻データを取得してＲＯＭ部２０６に格納しておくように説明したが、この無線通信端末では、当日の天気情報は入手できないので、図３のステップ３０５、図４のステップ４０３、図６のステップ７０６に示した、天気情報が晴れかどうか判定するステップは無視して所期の制御を行う。
【００６１】
【発明の効果】
以上説明したように、本発明によれば、昼間の晴天下の屋外での端末使用であると判断したときには、十分な光量の自然光が表示部に入射されると判断して、表示部用の光源を消灯制御し、上記の場合以外のときには、十分な光量の自然光が表示部に入射されないと判断して光源を点灯制御するようにしたため、単に昼夜を区分して光源を制御している従来装置に比べて、昼間でも雨天であったり、屋内使用時などの十分な光量の自然光が表示部に入射されない端末使用環境下では光源を点灯させることができ、使用環境に応じた最適な光源制御ができると共に、光源による無駄な電力消費を低減
できる。
【００６２】
（削除）
【００６３】
また、本発明によれば、サテライト電波受信部がサテライト電波を受信したかどうかにより、端末が屋外で使用されているか屋内で使用されているかを自動的に判別し、その判別結果に応じた最適な着信音制御ができるため、特に着信音が周囲に迷惑を与えることがある端末屋内使用時において、ユーザがバイブレータへの切り替えなどを忘れていても、着信音が周囲の迷惑にならないように着信音量の自動切り替えができる。
【００６４】
更に、本発明によれば、端末が屋外使用か屋内使用かを判定し、それらの判定結果に基づいて、昼間の晴天下の屋外使用時はカメラ部のシャッター押下時にフラッシュを自動点灯させるようにしたため、屋外使用時にフラッシュを点灯させることによる無駄な電力消費を防止することができる。
【図面の簡単な説明】
【図１】本発明装置を使用したシステムの一例の概略構成図である。
【図２】本発明装置の一実施の形態のブロック図である。
【図３】本発明の第１の実施の形態の電源スイッチオン時の制御動作説明用フローチャートである。
【図４】本発明の第１の実施の形態のキー入力時の制御動作説明用フローチャートである。
【図５】本発明の第２の実施の形態の動作説明用フローチャートである。
【図６】本発明の第３の実施の形態の動作説明用フローチャートである。
【符号の説明】
１０１  携帯電話機
１０２  携帯型情報端末
１０３  サテライト
１０７  気象データ格納ウェブサーバ
２０４  メモリ部
２０５  中央処理装置（ＣＰＵ）
２０６  ＲＯＭ部
２０７  ＲＡＭ部
２０８  タイマ回路
２０９  光源制御回路
２１２  サテライト電波受信部
２１５  表示部
２１６  光源
２１７  歩数カウント回路
【図１】
0003698992.tif 000002
【図２】
0003698992.tif 000003
【図３】
0003698992.tif 000004
【図４】
0003698992.tif 000005
【図５】
0003698992.tif 000006
【図６】
0003698992.tif 000007